(57)【特許請求の範囲】
【請求項１】
全表面または部分表面に発光体塗料による第１表面処理と、該第１表面処理の上に該第１表面処理の所定の面積を残存して、色彩、模様を含む第２の表面処理を施し、前記所定の面積が、少なくとも個々の面積が１ｍｍ2 以上の面積要素の集合であり、且つ、該相隣る面積要素間の距離Ｓが、面積要素の前記距離Ｓ方向の長さＬに対して、Ｓ≦１．３Ｌであることを特徴とする発光性能を有する装身具。
【請求項２】
前記所定の面積が、少なくとも、発光塗料による発光面積が暗所において前記装身具の存在を認識可能な面積であることを特徴とする請求項１に記載の発光性能を有する装身具。
【請求項３】
前記第１表面処理が、亜鉛またはアルカリ土類の硫化物、または酸化物を含む塗料によるものであることを特徴とする請求項１または２に記載の発光性能を有する装身具。
【請求項４】
前記第２の表面処理がパッドまたはスクリーンによる曲面印刷法による印刷塗装であることを特徴とする請求項１乃至３のいずれか１項に記載の発光性能を有する装身具。
【発明の詳細な説明】
【０００１】
【発明の属する技術分野】
本発明は、発光性能を有する装身具に関するものであり、より詳細には、暗所にてその存在を確認し得る発光性能を有する眼鏡フレーム、ヘアピンなどの装身具に関するものである。
【０００２】
【従来の技術】
過去永年に亘り世界中で使用されている、尤も身近な機能的道具である眼鏡は、近視、遠視、乱視、遮光など目に対する矯正を目的とした用途に使用するばかりでなく、近年は一種のファッションの道具として使用するケースが多くなっている。従って、眼鏡フレームはその形状のファッション性ばかりでなく、好ましい色彩や模様を施し、そのファッション性を上げることが行われている。
【０００３】
一方、遠視用眼鏡、いわゆる老眼鏡を使用する場合、通常それを使用している状態で近くを見ることは不具合であり、普通にはその眼鏡を外したり、適当な異なる眼鏡に掛け替えたりしている。
また、眼鏡使用者が眠る場合には、殆んどと言ってよい程、その眼鏡を外して眠ることは良く知られている。
このように、眼鏡を外した場合、特に夜間や暗所においてその外した眼鏡を探しまわることは屡々見受けられることである。手探りによる探しまわりは、時間のロスばかりでなく、精神的にも極めて不愉快なことでもある。最悪には、その眼鏡を踏んで破損してしまうケースさえある。
【０００４】
また、最近の若者達のエンターテイメント志向として、ディスコ等において強烈なダンスをすることが流行している。この場合、若者達はいわゆる「目立ちたがり屋」の言葉で代表されるような、自己主張を強く打ち出す傾向が強い。
同様に、若者達がスキーをナイターで行う場合などにも同様な傾向がある。
このため、新しいファッション性のある装身具が強く要求されている。
【０００５】
【発明が解決しようとする課題】
前述のごとく、夜間や暗所において眼鏡の存在を一早く認識し得る眼鏡であって、しかも、ファッション性を失わない眼鏡が要求されている。
即ち、眼鏡のフレームが、夜間および暗所においてその全容および要求部分が確認し得るように発光していること、しかもその発光体が本来の眼鏡に要求されるファッション性を損なわないものであることが要求されている。
【０００６】
また、ディスコ等において、ファッション性と意外性をもった、照明効果によりピカピカ光るサングラスやブレスレットなどを使用したいという要求が潜在していたが、従来これを満足する製品（装身具）は出現されていなかった。
本発明は、これらに鑑み、夜間や暗所において発光し、その存在が確認し得、しかも、ファッション性を損なわない装身具を安価に提供することをその目的としている。
【０００７】
【課題を解決するための手段】
本発明は、上記課題を解決するものであり、１）全表面または部分表面に発光体塗料による第１表面処理と、該第１表面処理の上に該第１表面処理の所定の面積を残存して、色彩、模様を含む第２の表面処理を施し、前記所定の面積が、少なくとも個々の面積が１ｍｍ2 以上の面積要素の集合であり、且つ、該相隣る面積要素間の距離Ｓが、面積要素の前記距離Ｓ方向の長さＬに対して、Ｓ≦１．３Ｌであることを特徴とする発光性能を有する装身具である。
【０００８】
また、２）前記１）における所定の面積が、少なくとも、発光塗料による発光面積が暗所において前記装身具の存在を認識可能な面積である発光性能を有する装身具である。
【００１０】
また本発明は、３）前記１）における第１表面処理が、亜鉛またはアルカリ土類の硫化物、または酸化物を含む塗料によるものである発光性能を有する装身具であり、４）前記１）における第２の表面処理を、パッドまたはスクリーンによる曲面印刷法による印刷塗装により施行する発光性能を有する装身具である。
【００１２】
【発明の実施の形態】
図１は、本発明の１実施例である眼鏡フレームを示す図である。１は眼鏡フレーム、２は第１表面処理面、３は第２の表面処理である印刷塗装面である。
図２は、本発明の第２の表面処理としての印刷に使用される、印刷インキの色相範囲をマンセル色相環で示した図である。
色相範囲は、マンセル色相環５Ｇ〜５Ｒ（Ｂを含む側）の範囲においては、明度６以下、彩度９以下、また５ＢＧ〜５ＰＢ（Ｂを含む側）の範囲においては、明度８以下、彩度１０以下であり、インキの性状はＵＶ乾燥型などのインキである。
【００１３】
図１において、眼鏡フレーム１は、適当な前処理後、発光塗料によりその全面または要求される部分表面が表面処理される。この場合第１表面処理の処理方法は、刷毛塗り法、スプレイ法、蒸着法、注入法など、眼鏡フレームの全面または要求される部分表面が均一に塗装できるものであれば、如何なる方法でも良い。ただ、発光体の蓄光エネルギを認識に対して十分な量とするためには、少なくとも塗装厚みｔは、０．０１ｍｍ以上あることが必要である。
【００１４】
第１表面処理の発光体塗料は、蓄光性能が優れた蛍リン光体であることが要求される。有機または無機の蛍光体を成分とした顔料または染料を含む塗料またはインキであり、好ましくは無機蛍りん光体である亜鉛およびアルカリ土類金属特にカルシウムの硫化物（ＺｎＳ、ＣａＳ）、酸化物（ＺｎＯ）に微量の活性化剤および融剤を添加したものが入手の点からも望ましい。
【００１５】
しかしながら、これらの第１表面処理である発光塗料は、通常の昼間光や照明光のもとでは、白色またはそれに近い無光沢のモノトーンな色彩を有しており、この塗料のみにより表面処理された発光性能を有する装身具（以下、眼鏡フレーム等という）は、ファッション的には決して好ましいものとは言えない。即ち、暗所において眼鏡フレーム等を確実に認識識別したいという要求と、通常使用状態でのファッション性に対する要求とは相反する事象であると言える。このことは、前記の色々な装身具においても同様のことが言える。
【００１６】
本発明は、上述の事象に鑑み、この両者を同時に満足する眼鏡フレームを初めとする装身具を提供しようとするものである。即ち、全面に第１表面処理が施された眼鏡フレーム等などに、その発光強度がそのフレームなどの存在を把握認識し得るに十分な範囲において残存せしめ、他部分は好みの色彩模様による彩色を施す第２の表面処理を施行するものである。
【００１７】
蛍りん光として放出されるエネルギーは、吸収蓄光される刺激エネルギーに比例するものであり、放出されるエネルギーの吸収される刺激エネルギーに対する比、即ち、エネルギー収率は、その刺激エネルギーの強度と受光面積により著しく影響されるものである。
従って、刺激エネルギーを効率良く得るためには、好ましい第２の表面処理のない部分面積即ち第１表面処理面のうちの露出面積（以下、開放面積という）および開放面積の受光に対する第２の表面処理面の遮断効果の少ない色彩模様が選択されなければならない。
【００１８】
本発明者は、本発明の発光体塗料による光点を、その発光時に連続線として見なし得るためには、光点の大きさと光点間の距離に微妙な関係があることを発見した。即ち、光点直径Ｄまたは光点辺長さＬに対し、光点間スペースＳがＳ≦Ｄ、Ｓ≦１．３Ｌであることにより連続性を認識可能であることがわかった。
それ以上光点間距離が離れると光点としての認識が優先し、急激に連続性認識が低下する。
【００１９】
また、刺激エネルギーの受光に必要な受光面積は、発光実験によれば、最小面積Ａは１ｍｍ2 以上、好ましくは４ｍｍ2 以上あることが望ましい。
実質的には彩色される模様は、任意の模様であり、必ずしも前記開放面積は必ずしも規則的なものとはならない。従って、任意の模様においては、非連続的な開放面積の状態が上記の条件を満たせば、その部分表面の基体としての総体的形状を認識するのに十分なものとなる。
【００２０】
また、第２の表面処理により施行される模様の色彩は、前記のように開放面積の受光に対する第２の表面処理面の遮断効果の少ない色彩模様が選択されなければならない。即ち、色彩としてはマンセル表色系の色相環における色相５Ｒ〜１０ＧＹのものは明度および彩度により反射率が大きくなり受光効果を妨げる。
実験の結果によれば、実質的に開放面積に対しての受光効果に良好な範囲乃至悪影響を及ぼさない範囲としては、マンセル色相環５ＧＹ〜５Ｒ（Ｂを含む側）の範囲においては、明度６以下、彩度９以下、また５ＢＧ〜５ＰＢ（Ｂを含む側）の範囲においては、明度８以下、彩度１０以下なる範囲が好ましいことがわかった。
【００２１】
第２の表面処理は、基本的には本出願人の出願になる特願平１−５９６９７号「曲面への印刷方法及び装置」のパッドによるオフセット印刷などによる直接印刷法または転写法、スクリーン法、パッド法を用いる。これにより眼鏡フレームなどの装身具の如何なる形状のものでも印刷可能である。
第２の表面処理の印刷に使用するインキは、通常に使用されるインキであればいかなるものでも使用可能ではあるが、第１表面処理による塗布面に重ね印刷するために、第１表面処理面に対して十分密着性のあるものであることが必要である。
【００２２】
［実施例］
被印刷体：    合成樹脂（ポリスチレン）製眼鏡フレーム（薄茶色）
第１表面処理：ＺｎＳ顔料含有塗料（白色塗装＋蓄光塗装）使用
フレーム全面に厚さ約０．０２ｍｍ吹付け塗装
乾  燥 ：     温風乾燥  （５０℃、３Ｈｒｓ．）
第２の表面処理 ：アントラキノン系分散染料含有インキ使用
（マンセル色相環５ＰＢ４／４相当）
２ｍｍ幅の平行な第２の表面処理の印刷線間に、１ｍｍ×１ｍｍの開放面積を、間隔Ｓ；０．５ｍｍ（ａ）、１．５ｍｍ（ｂ）、３．０ｍｍ（ｃ）飛びに残して第２の表面処理によるパッド印刷を施工。
試料数：      各６個
第１表面処理の厚さは、あらかじめ別試料にて厚さ約０．０２ｍｍになる吹付け塗装条件を求めた。
【００２３】
前記間隔Ｓを変化した３種類の試料を各１００Ｗ白色照明下に２ｍ距離において、各２個当て（イ）１ｍｉｎ．、（ロ）３ｍｉｎ．、（ハ）１０ｍｉｎ．照射し、照射後ただちに暗室内において発光によるフレーム形態把握状態を目視により比較した。
表１にその結果を示す。
【００２４】
【表１】
0004042028.tif 000002
【００２５】
印刷条件ｃ試料においては、照射条件を問わず眼鏡フレームの全容を認識することはできない。（点としての認識は可能）また、印刷条件ａ試料は、照射時間３ｍｉｎ．と１０ｍｉｎ．ではいずれも、十分全容認識が可能である。照射時間１ｍｉｎ．では発光効果が乏しく、照射は３ｍｉｎ．以上が必要と思われる。
また、印刷条件ｂのものは照射時間３ｍｉｎ．および１０ｍｉｎ．では、全容認の識程度は殆ど変わらず、開放面積間の占める間隔は、開放面積辺の約１．５倍程度が限度であることがわかった。照射時間１ｍｉｎ．では発光効果が乏しく点としても認識が十分でない。
【００２６】
上記のごとく、本願発明は、夜間や暗所においてその全体および可視要求部分が容易に把握確認し得、しかも、ファッション性を損なわない眼鏡フレーム等を安価に提供することができる。
【００２７】
【発明の効果】
本発明は、（１）全表面または部分表面に発光体塗料による第１表面処理と、該第１表面処理の上に該第１表面処理の所定の面積を残存して、色彩、模様を含む第２の表面処理を施すことによりファッション性を有し、且つ暗所においてもその存在が確認できる発光性能を有する装身具を提供することができる。
【００２８】
また、（２）前記（１）の所定面積を、発光塗料による発光面積が暗所において眼鏡フレーム等の全体形状または可視要求部分を認識可能な面積としたことにより、また、（３）前記（１）の所定面積を、少なくとも個々の最小面積Ａが１ｍｍ2 以上の面積要素の集合とし、且つ、該相隣る最小面積Ａ間の距離Ｓが、最小面積Ａの距離Ｓ方向の長さＬがＳ≦１．３Ｌとすることにより、暗所における眼鏡フレーム等をを探しまわる煩雑さを避けることができ、また、ディスコ等における若者の要求にも応えることができる。
【００２９】
本発明は、（４）第１表面処理を、亜鉛またはアルカリ土類の硫化物、または酸化物を含む塗料によるものとすることにより、また、（５）第２の表面処理をパッドまたはスクリーンによる曲面印刷法による印刷塗装とすることにより、量産性のある形で眼鏡フレーム等を提供することができる。
【００３０】
また本発明は、（６）前記（１）の装身具を眼鏡フレームとすることにより、（７）前記（１）の装身具をヘアピンとすることにより、（８）前記（１）の装身具をブレスレットとすることにより、（９）前記（１）の装身具をネックレスとすることにより、（９）前記（１）の装身具をネックレスとすることにより、（１０）前記（１）の装身具をボタンとすることにより、また、（１１）前記装身具を付け爪とすることにより、量産性があり、ファッション性に優れ、且つ、暗所においてその存在を容易に認識可能な眼鏡フレーム等を安価に提供できる。
【図面の簡単な説明】
【図１】  本発明の１実施例の眼鏡フレームを示す図である。
【図２】  第２の表面処理における印刷インキの好ましい色相範囲をマンセル色相環で示した図である。
【符号の説明】
１  眼鏡フレーム、２  第１表面処理面、３  第２の表面処理。
【図１】
0004042028.tif 000003
【図２】
0004042028.tif 000004